(57)【要約】【課題】スイッチ／サーバ１００または１０４に関連する移動エージェント１５０を含む企業ネットワークを提供すること。【解決手段】移動エージェントは、第２の通信装置１４０ｂに関連するビジター・アプリケーション記録１７２を作成する。ビジター・アプリケーション記録は第１の加入者に関連する。第２の加入者は通常、第２の通信装置に関連し、第１の加入者は第１の通信装置１３６ａに関連する。ビジター・アプリケーション記録の作成に応じて、ネイティブ通信装置記録は第２の通信装置１４０ｂと同じ公開および／または個人番号を有する仮想通信装置に関連付けられる。【選択図】図１
2008042924.tif 000002
【特許請求の範囲】
【請求項１】
（ａ）第２のスイッチ／サーバが、前記第２のスイッチ／サーバによって制御される第２の通信装置と関連付けられるための第１の加入者からの要求を受信するステップであって、前記第１の加入者は、前記第２のスイッチ／サーバとは異なる第１のスイッチ／サーバによって制御される第１の通信装置にも関連付けられるステップと、
（ｂ）前記第２のスイッチ／サーバが前記第１のスイッチ／サーバに前記要求を通知するステップと、
（ｃ）前記第２のスイッチ／サーバが前記第２の通信装置を前記第１の加入者と関連付けるステップであって、それによって、前記第１の加入者は、前記第２の通信装置から発呼し、および前記第２の通信装置で着呼を受信することと、前記第１の通信装置で前記第１の加入者によってアクセス可能な少なくともいくつかの特徴機能にアクセスすることとが可能になる、ステップと、を含む
方法。
【請求項２】
ステップ（ｃ）が、
（Ｃ１）第２の通信装置が前記第１の加入者とは異なる第２の加入者と関連付けられるためのネイティブ通信装置記録を提供するサブステップと、
（Ｃ２）その後、前記第２の通信装置と関連するビジター・アプリケーション記録を作成するサブステップであって、前記ビジター・アプリケーション記録が前記第１の加入者に関連付けられているサブステップと、
（Ｃ３）ステップ（Ｃ２）に応じて、前記ネイティブ通信装置記録を仮想通信装置と関連付けるサブステップであって、前記仮想通信装置が、前記第２の通信装置と同じ公開および／または個人番号を有するサブステップと
を含む、請求項１に記載の方法。
【請求項３】
（Ｃ４）前記第１の加入者が前記第２の通信装置と関連付けられる間に、前記第１の通信装置に関するホーム通信装置記録を維持するステップであって、前記ホーム通信装置記録は前記第１の加入者のために前記第１の通信装置を構成するステップと、
（Ｃ５）前記第１の加入者が前記第２の通信装置と関連付けられる間に、前記第１の通信装置向けの着呼を前記第２の通信装置にリダイレクトするためにホーム・アプリケーション記録を維持するステップと
をさらに含む、請求項２に記載の方法。
【請求項４】
（Ｃ４）前記第１の加入者が前記第２の通信装置と関連付けられる間に、前記ネイティブ通信装置記録と前記ビジター・アプリケーション記録とを互いに独立して維持するステップであって、前記第１および第２の通信装置は回線交換および時分割多重のうちの少なくとも１つであり、前記第１の加入者が前記第２の通信装置と関連付けられる間に、以下の特徴機能のうち少なくともほとんどは第１の加入者に利用可能であり、その特徴機能とは、前記第１の加入者向けの着呼を前記第１の通信装置にブリッジングすることと、コール・カバレッジと、スピード・ダイヤルと、呼出しパターンと、カスタム・ボタン・ラベルと、短縮ダイヤル一覧と、自動コールバックと、自動メッセージ待機と、自動インターコムと、別の内線番号または幹線のための使用中表示と、コール・アピアランスと、呼び転送と、呼びの転送（使用中／応答なし）と、ダイヤル・インターコムと、携帯電話への内線番号と、排除と、私設セントラル・オフィス回線と、全呼び送信と、社内の内線番号グループと、優先呼出と、および係員呼出と、であり、さらに前記第２の加入者の装置からの発呼に関して、前記第１の加入者が前記第２の通信装置と関連づけられる間に、いくつかの前記第１の通信装置が発呼者情報として送られ、第２の通信装置から汎用緊急番号への発呼が行われる場合、前記第１の加入者は前記第２の通信装置との関連付けが自動的に解除されるステップ
をさらに含む、請求項２に記載の方法。
【請求項５】
前記ビジター・アプリケーション記録が少なくとも以下の情報を含み、その情報とは、前記第１の加入者の氏名と、前記第１の通信装置の番号と、前記第２の通信装置の番号と、前記第１の加入者のホーム・セキュリティ情報と、前記第１および第２の通信装置の種類と、呼び状態情報と、前記第１の通信装置の複数のボタンのセットと同じ複数のボタンのセットを有する第２の通信装置のボタン記録とであり、前記ネイティブ通信装置記録が少なくとも以下の情報を含み、その情報とは、第２の加入者の氏名と、第２の通信装置の個人番号と、第２の通信装置の公開番号と、第２の加入者のホーム・セキュリティ情報と、第２の通信装置の種類と、前記第２の加入者のために構成される第２の通信装置のボタン記録と、前記第２の通信装置に関するサービスのクラスと、呼び状態情報とであり、前記ホーム通信記録が少なくとも以下の情報を含み、その情報とは、第１の加入者の氏名と、第１の通信装置の個人番号と、第１の通信装置の公開番号と、第１の加入者のホーム・セキュリティ情報と、第１の通信装置の種類と、前記第１の加入者のために構成される第１の通信装置のボタン記録と、前記第１の通信装置に関するサービスのクラスと、呼び状態情報とであり、前記ホーム・アプリケーション記録が少なくとも以下の情報を含み、その情報とは、前記第２の通信装置の数および前記第２の通信装置の種類と、前記第１局に関する前記ホーム局記録に対するポインタとであり、前記ホーム通信装置記録とホーム・アプリケーション記録とが互いに関連する、請求項２に記載の方法。
【請求項６】
前記第１の通信装置が第１のスイッチ／サーバによって制御され、前記第２の通信装置が第２のスイッチ／サーバによって制御され、前記第１の加入者が前記第２の通信装置と関連づけられる間に、前記第２の加入者向けの着呼は前記第２の通信装置に導かれずに前記ネイティブ通信装置記録内で定義されるように処理され、前記第１の加入者向けの着呼は、前記第１のスイッチ／サーバによって前記第２のスイッチ／サーバに導かれ、前記第２のスイッチ／サーバによって前記第２の通信装置に導かれ、第２の通信装置を用いて開始される前記第１の加入者からの発呼ボタン発信呼びは、前記第２のスイッチ／サーバによって、着呼側の宛先により設定された前記第１のスイッチ／サーバに導かれ、着呼が前記第１のスイッチ／サーバによって前記第２のスイッチ／サーバに導かれる場合、前記第１のスイッチ／サーバは前記第２のスイッチ／サーバに前記呼びに関して選択されたコール・アピアランスを送り、さらに発呼が前記第２のスイッチ／サーバによって前記第１のスイッチ／サーバに導かれる場合、前記第２のスイッチ／サーバは第１のスイッチ／サーバに前記呼びに関して選択されたコール・アピアランスを送る、請求項２に記載の方法。
【請求項７】
前記第２の通信装置が、通常、第２の加入者に関連し、ステップ（ｂ）の前記要求通知が、いくつかの前記第２の通信装置と、いくつかの前記第１の通信装置と、前記第１の通信装置の種類とを含み、さらに前記関連付けるステップ（ｃ）が、
（ｃ１）前記第１のスイッチ／サーバが、ホーム・アプリケーション記録および前記第１の通信装置のボタン・マップを作成するサブステップと、
（ｃ２）前記第１のスイッチ／サーバが、前記第１の通信装置の種類、ボタン・マップ、メッセージ待機状態標識、第１の通信装置の番号、および第１の加入者の氏名を前記第２のスイッチ／サーバに転送するサブステップと、
（ｃ３）サブステップ（ｃ２）で受信された情報を用いて、前記第２のスイッチ／サーバが、前記第１の加入者を前記第２の通信装置と関連付けるビジター・アプリケーション記録を作成するサブステップと、
（ｃ４）前記第２のスイッチ／サーバが前記ビジター・アプリケーション記録内に定義されるように前記第２の通信装置を再構成し、前記第２の通信装置は、通常、第２の加入者と関連し、前記第２のスイッチ／サーバは前記第２の通信装置に関するネイティブ通信装置記録を含み、前記第１のスイッチ／サーバは前記第２の通信装置に関するビジター・アプリケーション記録を含み、前記ネイティブ通信装置記録は前記第２の加入者に関連し、前記ビジター・アプリケーション記録は前記第１の加入者に関連し、前記ネイティブ通信装置記録は、前記第１の加入者が前記第２の通信装置と関連付けられる間に、仮想通信装置と関連付けられ、前記仮想通信装置と第２の通信装置とは共通の番号を有し、前記第１のスイッチ／サーバは前記第１の通信装置に関するホーム通信装置記録を有し、前記ホーム通信装置記録は、前記第１の通信装置向けの着呼を前記第２の通信装置にリダイレクトするために、前記第１の加入者に関する前記第１の通信装置とホーム・アプリケーション記録とを構成し、前記第１および第２の通信装置は回線交換および時分割多重のうちの少なくとも１つであり、前記第１の加入者が前記第２の通信装置と関連付けられる間に、以下の特徴機能のうち少なくともほとんどは第１の加入者に利用可能であり、その特徴機能とは、前記第１の加入者向けの着呼を前記第１の通信装置にブリッジングすることと、コール・カバレッジと、スピード・ダイヤルと、呼出しパターンと、カスタム・ボタン・ラベルと、短縮ダイヤル一覧と、自動コールバックと、自動メッセージ待機と、自動インターコムと、別の内線番号または幹線のための使用中表示と、コール・アピアランスと、呼び転送と、呼びの転送（使用中／応答なし）と、ダイヤル・インターコムと、携帯電話への内線番号と、排除と、私設セントラル・オフィス回線と、全呼び送信と、社内の内線番号グループと、優先呼出と、係員呼出と、であり、前記第２の加入者の装置からの発呼に関して、前記第１の加入者が前記第２の通信装置と関連づけられる間に、いくつかの前記第１の通信装置が発呼者情報として送られ、第２の通信装置から汎用緊急番号への発呼が行われる場合、前記第１の加入者は前記第２の通信装置との関連付けが自動的に解除され、前記ビジター・アプリケーション記録が少なくとも以下の情報を含み、その情報とは、前記第１の加入者の氏名と、前記第１の通信装置の番号と、前記第２の通信装置の番号と、前記第１の加入者のホーム・セキュリティ情報と、前記第１および第２の通信装置の種類と、呼び状態情報と、前記第１の通信装置の複数のボタンのセットと同じ複数のボタンのセットを有する第２の通信装置のボタン記録と、であり、前記ネイティブ通信装置記録が少なくとも以下の情報を含み、その情報とは、第２の加入者の氏名と、第２の通信装置の個人番号と、第２の通信装置の公開番号と、第２の加入者のホーム・セキュリティ情報と、第２の通信装置の種類と、前記第２の加入者のために構成される第２の通信装置のボタン記録と、前記第２の通信装置に関するサービスのクラスと、呼び状態情報とであり、前記ホーム通信記録が少なくとも以下の情報を含み、その情報とは、第１の加入者の氏名と、第１の通信装置の個人番号と、第１の通信装置の公開番号と、第１の加入者のホーム・セキュリティ情報と、第１の通信装置の種類と、第１の加入者のために構成される第１の通信装置のボタン記録と、前記第１の通信装置に関するサービスのクラスと、呼び状態情報と、であり、前記ホーム・アプリケーション記録が少なくとも以下の情報を含み、その情報とは、前記第２の通信装置の数および前記第２の通信装置の種類と、前記第１局に関する前記ホーム局記録に対するポインタと、であり、前記ホーム通信装置記録とホーム・アプリケーション記録とが互いに関連し、前記第１の加入者が前記第２の通信装置と関連づけられる間に、前記第２の加入者向けの着呼が前記第２の通信装置に導かれずに前記ネイティブ通信装置記録内で定義されるように処理され、前記第１の加入者向けの着呼は、前記第１のスイッチ／サーバによって前記第２のスイッチ／サーバに導かれ、前記第２のスイッチ／サーバによって前記第２の通信装置に導かれ、第２の通信装置を用いて開始される第１の加入者からの発呼は、前記第２のスイッチ／サーバによって、着呼側の宛先により設定された前記第１のスイッチ／サーバに導かれ、着呼が前記第１のスイッチ／サーバによって前記第２のスイッチ／サーバに導かれる場合、前記第１のスイッチ／サーバは前記第２のスイッチ／サーバに前記呼びに関して選択されたコール・アピアランスを送り、発呼が前記第２のスイッチ／サーバによって前記第１のスイッチ／サーバに導かれる場合、前記第２のスイッチ／サーバは前記第１のスイッチ／サーバに前記呼びに関して選択されたコール・アピアランスを送るサブステップを含む、請求項１に記載の方法。
【請求項８】
請求項１のステップを実行するためにプロセッサ実行可能命令を含む、コンピュータ可読媒体。
【請求項９】
スイッチ／サーバと関連する移動エージェントを含む企業ネットワークであって、
前記移動エージェントは
（ａ）第２の加入者に関連する第２の通信装置関するネイティブ通信装置記録を提供し、
（ｂ）前記第２の通信装置に関連するビジター・アプリケーション記録を作成し、前記ビジター・アプリケーション記録は前記第２の加入者とは異なる第１の加入者に関連しており、前記第１の加入者は、通常、第１の通信装置に関連し、
（ｃ）前記ビジター・アプリケーション記録の作成に応じて、前記ネイティブ通信装置記録を仮想通信装置と関連付け、前記仮想通信装置は前記第２の通信装置と同じ公開および／または個人番号を有する
ように動作可能である、企業ネットワーク。
【請求項１０】
前記移動エージェントが、
（ｄ）前記第１の加入者が前記第２の通信装置と関連付けられる間に、前記第１の通信装置に関するホーム通信装置記録を維持し、前記ホーム通信装置記録は前記第１の加入者のために前記第１の通信装置を構成し、
（ｅ）前記第１の加入者が前記第２の通信装置と関連付けられる間に、前記第１の通信装置向けの着呼を前記第２の通信装置にリダイレクトするためにホーム・アプリケーション記録を維持する
ようにさらに動作可能である、請求項９に記載の企業ネットワーク。
【請求項１１】
前記移動エージェントが、
（ｄ）前記第１の加入者が前記第２の通信装置と関連付けられる間に、前記ネイティブ通信装置と前記ビジター・アプリケーション記録とを互いに独立して維持し、前記第１のスイッチ／サーバは前記第１の通信装置に関するホーム通信装置記録を有し、前記ホーム通信装置記録は、前記第１の通信装置向けの着呼を前記第２の通信装置にリダイレクトするために、前記第１の加入者に関する前記第１の通信装置とホーム・アプリケーション記録とを構成し、前記第１および第２の通信装置は回線交換および時分割多重のうちの少なくとも１つであり、前記第１の加入者が前記第２の通信装置と関連付けられる間に、以下の特徴機能のうち少なくともほとんどは第１の加入者に利用可能であり、その特徴機能とは、前記第１の加入者向け着呼を前記第１の通信装置にブリッジングすることと、コール・カバレッジと、スピード・ダイヤルと、呼出しパターンと、カスタム・ボタン・ラベルと、短縮ダイヤル一覧と、自動コールバックと、自動メッセージ待機と、自動インターコムと、別の内線番号または幹線のための使用中表示と、コール・アピアランスと、呼び転送と、呼びの転送（使用中／応答なし）と、ダイヤル・インターコムと、携帯電話への内線番号と、排除と、私設セントラル・オフィス回線と、全呼び送信と、社内の内線番号グループと、優先呼出と、係員呼出と、であり、前記第２の加入者の装置からの発呼に関して、前記第１の加入者が前記第２の通信装置と関連づけられる間に、いくつかの前記第１の通信装置が発呼者情報として送られ、第２の通信装置から汎用緊急番号への発呼が行われる場合、前記第１の加入者は前記第２の通信装置との関連付けが自動的に解除され、前記ビジター・アプリケーション記録が少なくとも以下の情報を含み、その情報とは、前記第１の加入者の氏名と、前記第１の通信装置の番号と、前記第２の通信装置の番号と、前記第１の加入者のホーム・セキュリティ情報と、前記第１および第２の通信装置の種類と、呼び状態情報と、前記第１の通信装置の複数のボタンのセットと同じ複数のボタンのセットを有する第２の通信装置のボタン記録と、であり、前記ネイティブ通信装置記録が少なくとも以下の情報を含み、その情報とは、第２の加入者の氏名と、第２の通信装置の個人番号と、第２の通信装置の公開番号と、第２の加入者のホーム・セキュリティ情報と、第２の通信装置の種類と、前記第２の加入者のために構成される第２の通信装置のボタン記録と、前記第２の通信装置に関するサービスのクラスと、呼び状態情報と、であり、前記ホーム通信記録が少なくとも以下の情報を含み、その情報とは、第１の加入者の氏名と、第１の通信装置の個人番号と、第１の通信装置の公開番号と、第１の加入者のホーム・セキュリティ情報と、第１の通信装置の種類と、第１の加入者のために構成される第１の通信装置のボタン記録と、前記第１の通信装置に関するサービスのクラスと、呼び状態情報と、であり、前記ホーム・アプリケーション記録が少なくとも以下の情報を含み、その情報とは、前記第２の通信装置の数および前記第２の通信装置の種類と、前記第１局に関する前記ホーム局記録に対するポインタと、であり、前記ホーム通信装置記録とホーム・アプリケーション記録とが互いに関連する
ようにさらに動作可能である、請求項９に記載の企業ネットワーク。
【請求項１２】
前記第１の加入者が前記第２の通信装置と関連づけられる間に、前記第２の加入者向けの着呼が前記第２の通信装置に導かれずに前記ネイティブ通信装置記録内で定義されるように処理され、前記第１の加入者向けの着呼は、前記第１のスイッチ／サーバによって前記第２のスイッチ／サーバに導かれ、前記第２のスイッチ／サーバによって前記第２の通信装置に導かれ、第２の通信装置を用いて開始される第１の加入者からの発呼は、前記第２のスイッチ／サーバによって、着呼側の宛先により設定された前記第１のスイッチ／サーバに導かれ、着呼が前記第１のスイッチ／サーバによって前記第２のスイッチ／サーバに導かれる場合、前記第１のスイッチ／サーバは前記第２のスイッチ／サーバに前記呼びに関して選択されたコール・アピアランスを送り、発呼が前記第２のスイッチ／サーバによって前記第１のスイッチ／サーバに導かれる場合、前記第２のスイッチ／サーバは第１のスイッチ／サーバに前記呼びに関して選択されたコール・アピアランスを送る、請求項９に記載の企業ネットワーク。
【発明の詳細な説明】
【技術分野】
【０００１】
本発明は、一般に通信システムに関し、より具体的には通信システム内の有線の移動性に関する。
【背景技術】
【０００２】
企業ユーザの移動性（ｍｏｂｉｌｉｔｙ）、すなわち、一貫した電話サービスを依然として受信することができると同時に、加入者が企業ネットワーク全域に位置する局を用いる能力は、世界市場において極めて望ましい。多くの大企業は、一般に、世界中に位置する多くの構内および支社により分散されている。企業ユーザの移動性は、加入者のホーム局、または割当て局上に位置する特徴機能（ｆｅａｔｕｒｅｓ）およびその他の機能性への継続的なアクセスを加入者に提供することが好ましい。
【０００３】
企業ユーザの移動性は、現在、ＣｉｓｃｏによるＥｘｔｅｎｓｉｏｎ  Ｍｏｂｉｌｉｔｙ（商標）など、様々なベンダーのボイス・オーバー・インターネット・プロトコルすなわちＶｏＩＰ製品で提供されている。Ｃｉｓｃｏ製品は、加入者がどちらかのハンドセットに触れる必要なしに、遠隔アクセスのためにホームＶｏＩＰ局および訪問（ｖｉｓｉｔｅｄ）ＶｏＩＰ局、または遠隔ＶｏＩＰ局を設定するためにサード・パーティー・アプリケーションへのアクセスを可能にする幅広いアプリケーション・プログラム・インターフェースすなわちＡＰＩを有する。遠隔局の再構成を実施するために、システム・アドミニストレータはＡＰＩを用いてユーザ識別子すなわちＵＩおよび個人識別番号すなわちＰＩＮを入力する。加入者が訪問局にログインし、認証が成功すると、訪問局は自動的に加入者のホーム局のプロファイル情報により再構成する。ホーム局および訪問局の所在地に２つ以上のスイッチが伴う場合、訪問スイッチは単にルータとして機能するため、呼出し処理は訪問スイッチではなくホーム・スイッチで実行される。
【０００４】
しかし、これらの製品はＶｏＩＰ局に限定され、回線交換電話または時分割多重電話すなわちＴＤＭ電話には適応できない。ＩＰネットワークは一般に、通信システムの地理的に分散された構成要素のために優れたインフラストラクチャを提供する。基礎となるＩＰシステムは、制御信号発信のための伝送に最適であり、帯域幅が利用可能な場合、音声通信に許容サービス品質（すなわちＱｏＳ）またはサービスの程度（すなわちＧＯＳ）を提供できる。しかし、音声通信のために利用できるネットワーク資源が不十分な場合、または１つもしくは複数のＩＰネットワーク構成要素が動作不可能な場合、音声通信に悪影響が及ぶ可能性がある。ＶｏＩＰ通信における音声品質の水準向上の実現に向けて大きな前進があるものの、ある周波数でＱｏＳまたはＧＯＳの急速かつ突然の劣化が依然として生じ、これらの劣化は多くの会社にとって受け入れがたい。
【０００５】
このため、多くの会社は有線回線交換通信装置またはＴＤＭ通信装置を好む。ホテリング（ｈｏｔｅｌｉｎｇ）またはホット・デスキング（ｈｏｔ−ｄｅｓｋｉｎｇ）などのイントラ・スイッチ（ｉｎｔｒａ−ｓｗｉｔｃｈ）有線の移動性が知られているが、インター・スイッチ（ｉｎｔｅｒ−ｓｗｉｔｃｈ）企業ユーザの有線の移動性は回線交換通信装置またはＴＤＭ通信装置には利用できない。特に、加入者がホーム局にいる場合に有することになる全面的な機能性に同加入者が接近するという有線の移動性については、そうである。理解されるように、ホテリングまたはホット・デスキングは加入者が、ネイティブ（ｎａｔｉｖｅ）局なしに、一般の企業スイッチによって制御されるローカル・エリア・ネットワーク内のどこにでも割当てられることを可能にする機能である。加えて、ＩＰ動作可能にされた移動性を備えていてすら、通常、巡回（ｔｒａｖｅｌｉｎｇ）加入者によって引き継がれた遠隔ＩＰ電話に関連するネイティブ加入者は、もはやそのＩＰ電話と関連しない。これは、短縮ダイヤル、ブリッジド・アピアランス（ｂｒｉｄｇｅｄ  ａｐｐｅａｒａｎｃｅ）、ダイヤル・インターコムなどの、ＩＰ電話の特徴機能に対する遠隔アクセスを有するネイティブ加入者に関連する問題を生み出す可能性がある。
【発明の開示】
【課題を解決するための手段】
【０００６】
これらのおよびその他の必要性は、本発明の様々な実施形態および構成によって対処される。本発明は集中型企業ネットワーク内または分散型企業ネットワーク内の加入者の移動性に関する。
第１の実施形態では、方法は以下のステップを含む：
（ａ）ネイティブ通信装置記録を第２の加入者に関連する第２の通信装置に提供するステップ；
（ｂ）その後、第２の通信装置に関連するビジター・アプリケーション（ｖｉｓｉｔｏｒ  ａｐｐｌｉｃａｔｉｏｎ）記録を作成するステップであって、ビジター・アプリケーション記録が第２の加入者とは異なる第１の加入者に関連付けられており、第１の加入者が、通常、第１の通信装置に関連付けられているステップ；および
（ｃ）ステップ（ｂ）に応じて、ネイティブ通信装置記録を仮想通信装置と関連付けるステップであって、仮想通信装置が第２の通信装置と同じ公開および／または個人番号を有するステップ。
【０００７】
第１の加入者が第２の通信装置と関連付けられる間に、ホーム通信装置記録は第１の通信装置のために維持される。ホーム通信装置記録は、第１の加入者のために第１の通信装置を構成する。第１の加入者が第２の通信装置と関連付けられる間に、ホーム・アプリケーション記録は第１の通信装置向けの着呼を第２の通信装置にリダイレクトするために維持される。
【０００８】
第１の加入者が第２の通信装置と関連付けられる間に、ネイティブ通信装置記録とビジター・アプリケーション記録とは互いに独立して維持される。これにより、第２の加入者は第２の通信装置向けの着呼を受信し、呼び発信（ｃａｌｌ  ｏｒｉｇｉｎａｌ）情報として、第２の通信装置の番号を用いて遠隔呼出を行い、第２の通信装置の特徴機能に遠隔アクセスすることが可能になり、第１の加入者は第２の通信装置で着呼を受信し、その通信装置から発呼し、その通信装置から第１の通信装置の特徴機能にアクセスすることが可能になる。これにより、第２の加入者のホーム通信装置が第１の加入者によって使用される間に、その加入者は別の企業通信装置の遠隔ユーザになることが可能になる。したがって、この実施態様は、ＩＰ通信装置からログアウトし、異なる地理的位置で別のＩＰ装置にログインするが、ＩＰ局のゲートキーパーとしてホーム・オフィスを維持する方法とは根本的に異なる。
【０００９】
第１の実施形態は、イントラ・スイッチおよびインター・スイッチならびにパケット交換および回線交換による加入者の移動性を提供するために用いられてよい。
別の実施形態では、方法は以下のステップを含むことを条件とする：
（ａ）第２のスイッチ／サーバが、第２のスイッチ／サーバによって制御される第２の通信装置と関連付けられるための第１の加入者からの要求を受信し、第１の加入者は第２のスイッチ／サーバとは異なる第１のスイッチ／サーバによって制御される第１の通信装置にも関連付けられるステップ；
（ｂ）第２のスイッチ／サーバが、第１のスイッチ／サーバにその要求を通知するステップ；および
（ｃ）第２のスイッチ／サーバが、第２の通信装置を第１の加入者と関連付けるステップ。第１の加入者は、第２の通信装置から発呼し、その装置で着呼を受信し、第１の通信装置で第１の加入者によってアクセス可能な少なくともいくつかの特徴機能にアクセスすることができる。
【００１０】
本発明はいくつかの利点を有する可能性がある。本発明は、加入者がそのホーム局能力の少なくともいくつかを依然として維持すると同時に、加入者が企業ネットワーク内でローミングすることを可能にする。これはネットワーク全体のホット・デスキング能力を提供する。次に、簡単な管理により、簡単かつ頑強な方法で、しかし新たなネットワークの構成要素／サーバを必要とせずに、サービスを提供することができる。この既存の企業ネットワーク・アーキテクチャへの組込みの容易さは、移動性特徴機能のソフトウェア実行可能性によって可能になる。これは複数のスイッチ／サーバ間の呼出し処理ロードの平衡を可能にし得る。
【００１１】
本発明は、特定の構成に応じていくつかの利点を提供できる。
これらのおよびその他の利点は、本明細書に含まれた（１つまたは複数の）発明の開示から明らかになるであろう。
本明細書で使用されているように、「少なくとも１つ」、「１つまたは複数」、および「および／または」は、運用において接続的でもあり離接的でもある、幅広い解釈が可能な表現である。例えば、「Ａ、Ｂ、およびＣの少なくとも１つ」、「Ａ、Ｂ、またはＣの少なくとも１つ」、「Ａ、Ｂ、およびＣの１つまたは複数」、「Ａ、Ｂ、またはＣの１つまたは複数」および「Ａ、Ｂ、および／またはＣ」は、Ａだけ、Ｂだけ、Ｃだけ、ＡとＢ共に、ＡとＣ共に、ＢとＣ共に、またはＡ、ＢおよびＣ共に、を意味する。
【００１２】
上述の実施形態および構成は、完全でも網羅的でもない。理解されるように、本発明の別の実施形態は、上述のまたは以下に詳しく説明される１つまたは複数の特徴を、単独でまたは組み合わせて、利用することで実行可能である。
【発明を実施するための最良の形態】
【００１３】
本発明の第１の実施形態によれば、第１および第２の企業スイッチ／サーバ１００および１０４は、第１および第２の私設ネットワークおよび／または公衆ネットワーク１０８、１１０によって相互接続される。本明細書で用いられるように、語「スイッチ」、「サーバ」、および「スイッチおよび／またはサーバ」は、ＰＢＸ、ＡＣＤ、企業スイッチ、企業サーバ、またはその他の種類の通信システムのスイッチまたはサーバ、ならびにメディア・サーバ、コンピュータ、付属物など、その他の種類のプロセッサ・ベースの通信制御装置を含むものと理解されたい。第１および第２のスイッチ／サーバ１００および１０４の各々は、それぞれ対応する第１および第２の企業施設１１２および１１６にサービスを提供する。１つの構成では、第１のネットワーク１０８は、公衆電話交換網すなわちＰＳＴＮなどの回線交換ネットワークであり、一方、第２のネットワーク１１０は、インターネットなどのパケット交換ネットワークである。第１および第２のスイッチの各々は、それぞれ、（例えば、一次群インターフェース、基本インターフェース、インターネット・プロトコル、およびＨ．３２３の幹線であってもよい）複数の幹線１２０および１２４を経由してネットワーク１０８に接続され、それぞれ（１つまたは複数の）リンク１２８および１３２を経由して、それぞれ、第１、第２、・・・第Ｎ番目の局１３６ａ〜ｎおよび第１、第２、・・・第Ｍ番目の局１４０ａ〜ｍに接続される。Ａｖａｙａ  Ｉｎｃ．のＧ７００（商標）、Ｇ６５０（商標）、Ｇ６００（商標）、ＭＣＣ／ＳＣＣ（商標）メディア・ゲートウェイなどのゲートウェイ（図示せず）は、適切なスイッチ／サーバと第２のネットワークとの間を通過する通信を処理するために、第１および第２のスイッチ／サーバの各々と、第２のネットワーク１１０との間に論理的に配置されてもよい。
【００１４】
局、すなわち通信装置１３６ａ〜ｎおよび１４０ａ〜ｍは、回線交換装置および／またはＴＤＭ装置である。理解されるように、局１３６および１４０は、通常、ＴＤＭバス（図示せず）上に配置されることになる局から電子信号を引き起こすティップ・リング・インターフェース（Ｔｉｐ  ｒｉｎｇ  ｉｎｔｅｒｆａｃｅ）にプラグで接続される。これらの局は各々、その制御スイッチ／サーバ上の社内の複数の（ダイヤルイン（Ｄｉｒｅｃｔ−Ｉｎｗａｒｄ−Ｄｉａｌ））内線番号のセットのうちの１つの内線番号に対応する。制御スイッチ／サーバは通常の方法で、着信連絡をこれらの内線番号に導き、発信連絡をこれらの内線番号から受信することができる。局１３６および１４０は、例えば、有線電話および無線電話、ＰＤＡ、Ｈ．３２０ビデオ電話および会議ユニット、音声メッセージ・ユニットおよび音声応答ユニット、ならびに伝統的なコンピュータ電話付属物を含んでもよい。適した装置の例は、Ａｖａｙａ，  Ｉｎｃ．の３００１０（商標）、２４１０（商標）、および２４２０（商標）デジタル電話である。
【００１５】
図示されていないが、第１および第２の施設１１２および１１６の各々は、パケット交換局またはＩＰハードフォン（例えば、Ａｖａｙａ  Ｉｎｃ．の４６００  Ｓｅｒｉｅｓ  ＩＰ  Ｐｈｏｎｅｓ（商標））、ＩＰソフトフォン（例えば、Ａｖａｙａ  Ｉｎｃ．のＩＰ  Ｓｏｆｔｐｈｏｎｅ（商標））、携帯情報端末すなわちＰＤＡ、パーソナル・コンピュータすなわちＰＣ、ラップトップ、パケット・ベースのＨ．３２０ビデオ電話および会議ユニット、パケット・ベースの音声メッセージ・ユニットおよび音声応答ユニット、ならびにパケット・ベースの伝統的なコンピュータ電話付属物などの通信装置を含んでもよい。適した装置の例は、Ａｖａｙａ，Ｉｎｃ．の４６１０（商標）、４６２１ＳＷ（商標）、および９６２０（商標）ＩＰ電話である。
【００１６】
本発明は、スイッチ／サーバと局との間、および／または第１のスイッチ／サーバと第２のスイッチ／サーバとの間に、特別な種類の情報トランスポート媒体（ｔｒａｎｓｐｏｒｔ  ｍｅｄｉｕｍ）またはプロトコルを必要としない、すなわち、本発明は任意の所望の種類のトランスポート媒体ならびに異なる種類のトランスポート媒体の組合せにより実施されることが可能である点に留意されたい。例えば、インター・スイッチ・プロトコルはＱＳＩＧ、ＳＩＰ、Ｈ．３２３などであってもよい。インター・エージェント（ｉｎｔｅｒ−ａｇｅｎｔ）１５０制御信号の発信は第１および／または第２のネットワーク上で送信されてもよい。
【００１７】
第１および第２のスイッチ／サーバ１００および１０４の各々は、ソフトウェアにより制御され、Ａｖａｙａ，Ｉｎｃ．によるＣｏｍｍｕｎｉｃａｔｉｏｎ  Ｍａｎａｇｅｒ（商標）の変更態様などの、制御アプリケーションを含むことが好ましい。図１から理解できるように、第１および第２のスイッチ／サーバの各々のメモリは、有線加入者局に移動性を提供するための移動エージェント（ｍｏｂｉｌｉｔｙ  ａｇｅｎｔ）１５０を含む。移動エージェント１５０は、加入者が加入者のホーム局の施設とは異なるスイッチ／サーバによって制御される施設で遠隔ユーザとして登録する能力を提供する。登録するとすぐに、ホーム・スイッチ／サーバの移動エージェント１５０は、加入者のホーム局の画像を訪問スイッチ／サーバまたは遠隔スイッチ／サーバの移動エージェント１５０に転送する。訪問スイッチ／サーバの移動エージェント１５０は、その画像を訪問局にダウンロードする。
【００１８】
加入者向けの着呼は、加入者の訪問局に経路付けられるが、加入者のホーム局を経由して加入者がアクセス可能な機能性のうち、全部でなければほとんどは加入者のホーム・スイッチ／サーバ内に維持される。そのような機能性の例は、ブリッジング（例えば、加入者の呼び上にアシスタント・ブリッジを許可するためのブリッジド・コール・アピアランスを提供する）、コール・カバレッジ（例えば、コール・カバレッジ応答グループ（ａｎｓｗｅｒ  ｇｒｏｕｐ））、スピード・ダイヤル、呼出しパターン、カスタム・テキスト・ラベル、短縮ダイヤル一覧、自動メッセージ待機、自動ダイヤル（例えば、コールバック）、自動インターコム、別の内線番号または幹線のための使用中表示、コール・アピアランス、呼び転送、呼びの転送（使用中／応答なし）、ダイヤル・インターコム、携帯電話への内線番号（以下で議論される）、排除、私設セントラル・オフィス（ｐｅｒｓｏｎａｌ  Ｃｅｎｔｒａｌ  Ｏｆｆｉｃｅ）すなわちＣＯ線（パー・ＣＯ・ライン（ｐｅｒ−ＣＯ−ｌｉｎｅ））、全呼び送信（ｓｅｎｄ  ａｌｌ  ｃａｌｌｓ）、ハント・グループすなわち社内の内線番号グループ、優先呼出、および係員呼出を含む。この一覧はＡｖａｙａの特徴機能の例であり、本手法で支援され得る網羅的特徴機能ではない。発呼に関しては、その呼びがホーム局で処理されるか訪問局で処理されるかに関わらず、加入者の通常のホーム（企業）識別性（例えば、ホーム電話番号）が発呼者情報として送られる。呼びが訪問スイッチ／サーバで処理され、第１のネットワーク１０８は加入者の通常の発呼者情報（例えば、氏名およびホーム局の電話番号）を受け入れないことになる場合、訪問局向けの加入者の呼び情報（例えば、氏名および訪問局の電話番号）がオプションとして送られる。緊急（例えば、９１１）呼出しは、緊急応答職員が正確かつ効果的に応答し、必要が生じた場合は、電話をかけ直すことができることを確実にするために、局所的に適用可能な発呼者情報のみを送ることによって処理される。例えば、加入者が訪問局から緊急呼出を行うとしたある場合、訪問スイッチ／サーバは公共安全アクセス・ポイントすなわちＰＳＡＰに、加入者のホーム局ではなく訪問局の電話番号および／または位置情報（例えば、ＥＬＩＮの緊急位置情報番号）を提供することになる。
【００１９】
以下の段落で、特定の例を参照してアーキテクチャの機能性が議論される。例では、第１の加入者は、ホーム局として、第１のスイッチ／サーバ１００レジスタによって制御される第１局１３６ａを有し、訪問局として、第２のスイッチ／サーバ１０４によって制御される第２局１４０ｂを有する。以下で議論されるように、第１局１３６ａおよび第２局１４０ｂは同じ種類の通信装置であっても、異なる種類の通信装置であってもよい。すなわち、これらの局のダイヤル・パッド・レイアウトとボタン、コール・アピアランス、プログラム可能なキー、および特徴機能アクセス・ボタンは同じでも異なってもよい。
【００２０】
この例を考慮に入れ、第１および第２のスイッチ／サーバのメモリは、前述の機能性に作用するためのいくつかのデータ構造を含む。データ構造は、第１局１３６ａに関するホーム局記録１６０、第１局１３６ａに関するホーム・アプリケーション記録１６４、第２局１４０ｂに関するネイティブ局記録１６８、および第２局１４０ｂに関するビジター・アプリケーション記録１７２を含む。ホーム局記録１６０は第１局に関する管理記録であり、第１の加入者の氏名（またはＵＩ）、第１の加入者の公開名、第１局の個人番号（例えば、５桁の社内内線番号）、第１局の公開番号（例えば、１０桁のＤＩＤ）、第１の加入者のホーム・セキュリティ情報（例えば、ＰＩＮなどの暗証番号）、第１局の種類、（各ボタン／キーに対応するラベルまたは種類および状態を提供する）第１局のボタン／キー記録、第１局に関するＣＯＳ、第１局は移動性を使用可能かどうか、呼び状態情報（例えば、どのコール・アピアランスがアクティブであるか、どのコール・アピアランスが呼び出しているかなど）、および（第１局に関するホーム局記録に連結していない場合）ホーム・アプリケーション記録に対するポインタなど、様々な情報を含む。ホーム・アプリケーション記録１６４は、第２局の内線番号、第２局の種類、（第１局に関するホーム局記録に連結していない場合）第１局に関するホーム局記録に対するポインタ、および訪問されているシステムに対するポインタを含む。第２局のためのネイティブ局記録１６８は、情報が第２の加入者に対応することを除いて、第１局のためのホーム局記録と同じ種類の情報を含む。第２局は第２の加入者のためのホーム局である。最後に、ビジター・アプリケーション記録１７２は、第１の加入者が第２局１４０ｂから呼出しを行うために必要なすべての情報を含む。したがって、ビジター・アプリケーション記録１７２は、第１の加入者の公開名、第１局の個人番号（例えば、５桁の社内内線番号）、第１局の公開番号（例えば、１０桁のＤＩＤ）、第２局１４０ｂの個人番号、第１の加入者のホーム・セキュリティ情報（例えば、ＰＩＮなどの暗証番号）、第１局および第２局の種類、呼び状態情報（例えば、どのコール・アピアランスがアクティブであるか、どのコール・アピアランスが呼び出しているかなど）およびネイティブ局記録１６８内のボタン／キー記録内のボタン／キーと同じボタン／キーを有する第２局のボタン／キーを含む。記録１６０、１６４、１６８、または１７２は関係データ構造であってもよいが、オブジェクト指向であることが好ましい。
【００２１】
第２局１６８に関するビジター・アプリケーション記録１７２とネイティブ局記録とは互いに独立している。すなわち、これらは個々の記録であるか、またはメモリ内で物理的に独特の位置に位置しており、両方ともシステム・リセットに耐えることができ、一般に、互いにポインタを合わせず、またはそうでなければ互いを参照しない。これにより、第２局は第１の（訪問）加入者によって物理的に、かつ第２の（ネイティブ）加入者によって論理的に用いられることが可能になる。別の方法で述べると、ビジター・アプリケーション記録が物理的な第２局１４０ｂと関連付けられる間に、ネイティブ局記録は第２局１４０ｂの公開番号および個人番号を有する仮想（すなわち、ハードウェアを伴わない管理（Ａｄｍｉｎｉｓｔｒａｔｉｏｎ  ＷｉｔｈＯｕｔ  Ｈａｒｄｗａｒｅ）すなわちＡＷＯＨ）局に関連付けられる。したがって、第２局１４０ｂは、事実上、２つの識別子を有する。１つはネイティブ局記録１６８によって定義され、もう１つはビジター・アプリケーション記録１７２によって定義される。通常の移動性アプリケーションでは、訪問局はそのネイティブの第２の加入者の識別子を失うか、またはネイティブ局記録はビジター・アプリケーション記録１７２に置き換えられる。
【００２２】
次に、図１〜３を参照して、移動エージェント１５０の動作が説明される。
登録処理は、第２局１４０ｂが第１の加入者から移動エージェント１５０の特徴機能アクセス・コード、第１局１３６ａのホーム内線番号、および第１の加入者の認証情報を受信する場合、ステップ３００で開始する。
【００２３】
応じて、第２のスイッチ／サーバ１０４の移動エージェント１５０は、ステップ３０４で、第１のスイッチ／サーバ１００内の移動エージェント１５０に位置更新メッセージ２００を送る。位置更新メッセージ２００は、第２局１４０ｂの内線番号、第１局１３６ａの内線番号、入力された第１の加入者のホーム・セキュリティ情報、および第２局１４０の局の種類を含む。位置更新メッセージ２００は、事実上、第１局１３６ａから第２局１４０ｂへの有線の移動性に関する第１の加入者による登録要求である。
【００２４】
ステップ３０８で、第１のスイッチ／サーバ１００の移動エージェント１５０は位置更新メッセージ２００を受信し、入力されたホーム・セキュリティ情報に照らして、ホーム局記録１６０内のホーム・セキュリティ情報を比較する。この情報が一致しない場合、またはホーム局記録１６０が（例えば、ＣＯＳ許可を用いて）第１局１３６ａは有線の移動性の資格がないことを示す場合、エージェント１５０はその要求を拒絶し、拒絶メッセージを第２のスイッチ／サーバ内の移動エージェントに戻す。情報が一致する場合、およびホーム局記録１６０が第１局１３６ａは有線の移動性の資格があることを示す場合、エージェント１５０はステップ３１２に進む。ホーム局記録１６０が、ユーザはすでに異なる局と関連していることを示す場合、予め訪問された局に関して、登録解除指示が訪問システムに渡されることになる。
【００２５】
ステップ３１２で、第１のスイッチ／サーバ１００内の移動エージェント１５０は第１局１３６ａのホーム・アプリケーション記録１６４およびボタン・マップを作成する。ボタン・マップは、第１局１３６ａのキーおよびボタンのレイアウトを定義するデータ構造の任意のセットであってもよい。理解されるように、２つの種類のボタン／キーが存在する。すなわち、状態ボタン（例えば、全呼び送信などの特徴機能の状態を示し、押された場合、その特徴機能を呼び出すボタン）および呼び発信ボタン（例えば、スピード・ダイヤルまたは短縮ダイヤル）である。ボタン・マップは通常、対応する状態および発信ボタン／キー種類もしくはラベル（または第１の加入者が選択したもしくはプログラムした機能もしくは特徴機能）および状態に対してボタン／キー識別子を索引付けする。第１局１３６ａ上の少なくとも各プログラム可能なボタン／キー、およびいくつかのアプリケーションでは、プログラム不可能なボタン／キーは、対応するボタン識別子を有する。すなわち、マップは、各ボタン／キー識別子に対して、対応するボタン／キー種類またはラベルおよびボタン／キー状態を有する。例えば、ボタン・マップは、短縮ダイヤル・ボタン、インターコム・ボタンを、および別の内線番号のブリッジド・アピアランスを第１局１３６ａ上で含んでもよい。本明細書では、「ボタン」および「キー」は信号アクティベータ（ｓｉｇｎａｌ  ａｃｔｉｖａｔｏｒｓ）に関する代替表現として用いられる。
【００２６】
ステップ３１６で、第１のスイッチ／サーバ１００内の移動エージェント１５０は、第２のスイッチ／サーバ１０４内の移動エージェント１５０に位置応答２０４を送る。第１局と第２局とが同じ種類のものである場合、応答２０４は第１局の種類、ボタン・マップ、メッセージ待機状態標識、第１の加入者の公開番号、第１の加入者の個人番号、および第１の加入者の公開名を含む。第１局と第２局とが異なる種類のものである場合、応答２０４は、オプションで、第２局の個人番号、第２局の公開番号、および訪問セットにマッピングするために第１局１３６ａのコール・アピアランスに関する定義を含んでもよい。
【００２７】
ステップ３２０で、第２のスイッチ／サーバ１０４内の移動エージェント１５０は、待受け応答（ａｗａｉｔｅｄ  ｒｅｓｐｏｎｓｅ）２０４を受信し、ビジター・アプリケーション記録１７２を作成する。第２局のボタン／キー記録は、第２局１３６ｂのボタン／キーのレイアウトに対して、第１局１３６ａのボタン・マップをマップすることによって、第２のスイッチ／サーバ１０４内の移動エージェント１５０によって作り出される。第１局と第２局とが同じ種類のものである場合、記録のレイアウトは異なるが、ホーム局記録１６０およびビジター・アプリケーション記録１７２は実質的に同じである。第１の加入者が第２局１４０ｂ上のボタン／キーをアクティブ化する場合、対応する機能を決定するために、ホーム局記録１６０ではなく、アプリケーション記録１７２が用いられる。
【００２８】
ステップ３２４で、第２のスイッチ／サーバ１０４内の移動エージェント１５０は、ビジター・アプリケーション記録１７２内で定義されるように第２局１４０ｂを再構成する。第１局１３６ａと第２局１４０ｂとが異なる種類のものである場合、特徴機能のデフォルト設定のみが第２局上にもたらされるか、または一致するキー／ボタンに共通の機能性が与えられる。第１局１３６ａと第２局１４０ｂとが同じ種類のものである場合、これらの局は第１の加入者には同じ局のように現れる。第１局１３６ａは、移動性登録の期間中、移動性登録が実施されていることを表示し、第２局１４０ｂの個人番号を提供する。
【００２９】
登録解除は、第１の加入者が非アクティブ化特徴機能アクセス・コード、第１局１３６ａの個人内線番号、およびセキュリティ情報を入力することで実施される。この情報を含む登録解除メッセージ２２０は、次いで第２のスイッチ／サーバ１０４から、第１のスイッチ／サーバの移動エージェント１５０に送られる。認証が成功すると、登録は第１のスイッチ／サーバ１００でクリアされ、応答は第２のスイッチ／サーバ１０４内の移動エージェント１５０に戻される。その場合、ホーム・アプリケーション記録１６４およびビジター・アプリケーション記録１７２はメモリからクリアされる。登録解除は、自動登録解除タイマーの期限切れ、または第２局１４０ｂからの緊急呼出の配置によって自動的にもたらされてもよい。登録解除は、第１の加入者が前述の登録解除情報を入力することによって、または別の局上のユーザの成功裏の登録に応じて自動的に、第１のスイッチ／サーバ１００で開始されてもよい。
【００３０】
メッセージ２００、２０４、２０８、２１２、２１６および２２０は、帯域幅を保存するために音声チャネルに関連する帯域外（ｏｕｔ−ｏｆ−ｂａｎｄ）（例えば、ＱＳＩＧプロトコル内のＤチャネル上）で送られる。
【００３１】
第１の加入者が第２局１４０ｂで移動性登録される間に、第１局１３６ａに着呼がある場合、第１のスイッチ／サーバ１００内の移動エージェント１５０は、アプリケーション記録１６４から、移動性登録が実施されており、第１の加入者が第２局１４０ｂで登録されていることを決定する。呼び設定メッセージは、呼びを設定するために第２のスイッチ／サーバ１０４内の移動エージェント１５０に転送される。第１の加入者が第２局１４０ｂで移動性登録される間に、第１のスイッチ／サーバ１００を経由して経路付けられていない着呼が第２局１４０ｂにある場合、第２のスイッチ／サーバ１０４内の移動エージェント１５０はネイティブ局記録１６８から、呼びを第２の加入者に関するコール・カバレッジに導くことを含む、呼びの適切な処理を決定する。このように、第２の加入者は第２局の公開番号および個人番号への呼びを受信し、第２局に関連する呼出しを遠隔で行い、移動性登録が第１の加入者に関して実施されている時でさえ、特徴機能アクセス・コードを用いて、特徴機能に遠隔でアクセスすることができる。
【００３２】
移動性登録の間、第１のスイッチ／サーバが第１の加入者向けの着呼を受信する場合、第１のスイッチ／サーバ１００内の移動エージェント１５０はアピアランス更新メッセージ２１６を作成して送る。メッセージ２１６は、第１の加入者の第１局１３６ａに関する個人番号、第２局１４０ｂに関する個人番号、その着呼の識別子、およびその着呼に関して選択されたコール・アピアランスを含む。第１および第２のスイッチ／サーバは、コール・アピアランスを別に選択するように構成される場合があるため、これは重要である可能性がある。メッセージ２１６内にコール・アピアランスを含むことにより、着呼を識別するために第１局１３６ａと第２局１４０ｂとに同じコール・アピアランスが用いられる。更新メッセージ２１６の受信は、着呼が第２の加入者ではなく第１の加入者向けであることを第２のスイッチ／サーバに通知し、したがって、第２のスイッチ／サーバ１０４内の移動エージェント１５０は、その着呼を処理するためにネイティブ局記録１６８ではなくビジター・アプリケーション記録１７２を用いる。
【００３３】
第２局１４０ｂは、移動性登録の間、ネイティブ局記録１６８ではなく、ビジター・アプリケーション記録１７２に関連する点に留意することが重要である。したがって、第１の加入者向けの着呼が鳴ると、第２局１４０ｂが鳴ることになる。しかし、第２の加入者向けの着呼が鳴ると、第２局１４０ｂは鳴らないことになる。
【００３４】
移動性が第２局で登録される間の第１の加入者向けの着呼は、通常、第２のスイッチ／サーバ１０４ではなく、第１のスイッチ／サーバ１００によって制御される。コール・カバレッジのための呼び処理または音声メッセージへの転換が第１のスイッチ／サーバ１００で管理されるように、呼びのホーム・スイッチ／サーバ制御が用いられることが好ましい。着呼を処理するために第１のスイッチ／サーバ１００を用いることは、第１の呼びを発呼者と第１のスイッチ／サーバとの間で設定させ、第２の呼びを第１および第２のスイッチ／サーバ間で設定させる。呼び処理のすべてまたは一部が第２のスイッチ／サーバ１０４によって行われる場合、経路交換が生じることになる場合を除き、呼びは第１局で、またはその内線番号のブリッジド・アピアランスで依然としてアクセス可能であることになる。第２局１４０ｂ上でダイヤル・パッドを用いて行われる発呼は、第２のスイッチ／サーバ１０４によって処理される。しかし、第２局１４０ｂで第１の加入者によってアクセスされた呼び発信の特徴機能は、通常、第１のスイッチ／サーバ１００で処理される。例えば、ブリッジド・アピアランス・ボタンを用いる場合、呼びは第１のスイッチ／サーバ１００に対して設定され、第２局１４０ｂのダイヤル・パッドを用いて開始された任意の呼びは第１のスイッチ／サーバ１００によって処理される。通話のために第２局１４０ｂ上で短縮ダイヤルまたはインターコムの特徴機能のボタンを用いる呼びは、第１のスイッチ／サーバ上の短縮ダイヤル一覧内に記憶された番号を用いて、第１のスイッチ／サーバ１００によって処理される。同じ宛先に連絡するために異なる場所内で用いられるダイヤル列の不一致は、ネットワーク内の異なるスイッチにおいて一般的であるため、これは好ましい。自動経路選択すなわちＡＲＳアクセス・コードでさえ、現地のダイヤル習慣により、国によって異なる場合がある。そのような呼びを処理するために第１のスイッチ／サーバ１００を用いることは、第１の呼びを第１および第２のスイッチ／サーバ間で設定させ、第２の呼びを第１のスイッチ／サーバと着呼側の宛先との間で設定させる。第２局１４０ｂから発呼を行う場合、第２スイッチ／サーバ１０４内の移動エージェント１５０は、第１のスイッチ／サーバ内の移動エージェント１５０にアピアランス更新メッセージ２１８を送り、その呼びに関して第２局１４０ｂのために選択されたコール・アピアランスを提供する。このように、発呼に関して第１局１３６ａおよび第２局１４０ｂのために選択されたコール・アピアランスは同じであり、異なる呼びに関して同じコール・アピアランスが選択される重複が回避される。
【００３５】
ボタン状態更新メッセージ２０８および２１２は、追跡されるボタン（例えば、コール・アピアランスおよびブリッジド・アピアランス）の継続的な更新のために用いられる。更新メッセージが移動エージェント１５０によって受信されると、エージェントは制御局（例えば、第１局または第２局）のためにホスト（例えば、第１または第２の）スイッチ／サーバのボタン／キー記録を更新する。利用可能な更新メッセージ２０８および２１２は、アイドル状態、呼出しを伴うアラート状態および呼出しを伴わないアラート状態ならびに使用中状態を含む。そのようなメッセージのための刺激は、必要に応じて、第１局または第２局のボタン／キーのアクティブ化である。これにより、第２のスイッチ／サーバ１０４で特徴機能ボタンが押される場合、第２のスイッチ／サーバ内の移動エージェント１５０は第１のスイッチ／サーバに更新メッセージ２１２を送り、こうして所望の特徴機能がアクティブ化または非アクティブ化される。第１局１３６ａでボタン状態が変わる場合、第１のスイッチ／サーバ１００内の移動エージェント１５０は更新メッセージ２０８を送り、こうして第２局は更新され得る。呼びが第２のスイッチ／サーバから第１のスイッチ／サーバに対してボタン発信（つまり、短縮ダイヤル）によって開始される場合、コール・アピアランスに関する状態更新は別のメッセージ内で送られず、設定内に含まれる。
【００３６】
状態ボタン／キーは、こうして、第１のスイッチ／サーバ１００によって処理される。状態ボタン／キーが第２局１４０ｂ内で押される場合、ボタン状態更新メッセージ２１２は、第２のスイッチ／サーバ１０４内の移動エージェント１５０によって、第１のスイッチ／サーバ１００内の移動エージェント１５０に送られる。この特徴機能は、次いで第１のスイッチ／サーバ１００内でアクティブ化される。このホーム・スイッチ特徴機能の処理は、通話を保存するために行われる。例えば、押された状態ボタン／キーが「全呼び送信」である場合、第２のスイッチ／サーバ１０４ではなく、第１のスイッチ／サーバ１００がその内線番号の経路付けを知る。
【００３７】
図２に示されていないが、メッセージ待機更新メッセージは、第２のスイッチ／サーバ１０４に、第１の加入者のメッセージ待機ランプ状態を通知し、このランプ状態が変わるときはいつでも、その状態を更新するために用いられる。
【００３８】
本発明のいくつかの改変形態および変更形態が使用されてもよい。本発明のいくつかの特徴は、他の特徴を提供せずに提供することが可能であろう。
例えば、１つの代替実施形態では、上記の機能性はパケット交換通信に応用される。メッセージはパケット化され、音声ベアラ・チャネルによって使用されるものと同じネットワークである、第２のネットワーク１１０上で送信されることを除いて、上記の様々なメッセージ構造およびデータ構造が用いられる。
【００３９】
別の代替実施形態では、本発明の概念はイントラ・スイッチ／サーバの移動性を可能にするために応用される。この実施形態では、ホーム局と訪問局とは共通のスイッチ／サーバによって制御される。例えば、第１局すなわちホーム局１３６ａと、第２局すなわち訪問局１３６ｂとは、第１のスイッチ／サーバ１００によって制御される。施設１００上で加入者の移動性を可能にするために、第１局１３６ａに関するホーム局記録１６０、第１局１３６ａに関するホーム・アプリケーション記録１６４、第２局１３６ｂに関するネイティブ局記録１６８、および第２局１３６ｂに関するビジター・アプリケーション記録１７２はすべて、第１のスイッチ／サーバ１００のメモリ内に配置される。
【００４０】
さらに別の実施形態では、遠隔局または訪問局からアクセス可能な特徴機能は、施設外の電話技術統合による移動性（Ｏｆｆ  Ｐｒｅｍｉｓｅｓ  Ｔｅｌｅｐｈｏｎｙ  Ｉｎｔｅｇｒａｔｉｏｎ  Ｍｏｂｉｌｉｔｙ）すなわちＯＰＴＩＭである。この特徴機能は、第１の加入者がその携帯電話または有線局で着呼を受信し、有線局上のボタン（コール・アピアランス・ボタンなど）を押すだけで、その携帯電話から有線局に応答呼びを容易に転送することを可能にする。あるいは、携帯電話への呼びを開始する、有線局上の特徴機能ボタンの押下によって、加入者は応答呼びを有線局から携帯電話に転送できる。加えて、呼び出される側には携帯電話からの呼びは有線局からの地域内通話のように現れる。
【００４１】
さらに別の実施形態では、特定用途向け集積回路すなわちＡＳＩＣ、プログラム可能な論理アレイ、およびその他のハードウェア装置を含むがこれらに限定されない専用ハードウェア実装は、本明細書で説明される方法を実現するために同様に構築され得る。さらに、分散処理または構成要素／オブジェクト分散処理、並列処理、または仮想機械処理を含むがこれらに限定されない代替ソフトウェア実装も、本明細書で説明される方法を実現するために構築され得る。
【００４２】
本発明のソフトウェア実装は、ディスクもしくはテープなどの磁気媒体、ディスクなどの光磁気媒体もしくは光媒体、またはメモリ・カードなどの固体媒体あるいは１つまたは複数の読出し専用（不揮発性）メモリを格納するその他のパッケージなど、物理的な記憶媒体上にオプションで記憶されることも言及されるべきである。電子メールのデジタル添付ファイルまたはその他の自己完結型の情報アーカイブもしくはアーカイブのセットは、物理的な記憶媒体に相当する配布媒体とみなされる。したがって、本発明は、本発明のソフトウェア実装が記憶される、物理的な記憶媒体または配布媒体および先行技術で認められている均等物ならびに後継媒体を含むものとみなされる。
【００４３】
本発明は、特定の基準およびプロトコルを参照して実施形態で実現される構成要素および機能を説明しているが、本発明はそのような基準およびプロトコルに限定されない。本明細書に記載されていないその他の類似の基準およびプロトコルが存在し、それらは本発明に含まれるものとみなされる。さらに、本明細書に記載されている基準およびプロトコルならびに本明細書に記載されていないその他の類似の基準およびプロトコルは、本質的に同じ機能を有する、より速いまたはより効果的な均等物に定期的に取り替えられる。同じ機能を有するそのような取替え基準および取替えプロトコルは、本発明に包括される均等物とみなされる。
【００４４】
本発明は、様々な実施形態、部分的な組合せ、およびそのサブセットを含めて、様々な実施形態で、本質的に本明細書に示され、説明されたような、構成要素、方法、処理、システムおよび／または装置を含む。当業者は、本開示の理解を経て、本発明の実行方法および使用方法を理解されるであろう。本発明は、本明細書で示されているおよび／または説明されている項目がない場合で装置および処理を様々な実施形態で提供することを含むものであり、それには、例えば性能の改善、容易さの達成および／または費用の削減のためにこれまでの装置または処理で用いられてきた可能性がある項目がない場合が、本明細書の様々な実施形態で包含される。
【００４５】
本発明の前述の議論は、例示および説明の目的で提示されている。前述の内容は、本発明を本明細書で開示された１つまたは複数の形態に限定することを意図されていない。例えば、前述の詳細な説明では、本発明の様々な特徴は、本開示を簡素化する目的で、１つまたは複数の実施形態に分類されている。この開示方法は、請求される発明が各請求項内で明確に列挙されている特徴を上回る特徴を必要とするという意図を反映するものとして解釈されるべきではない。むしろ、特許請求の範囲が反映するように、発明の態様は、開示された前述の単一実施形態のすべての特徴より少ない特徴に存在する。したがって、特許請求の範囲は本明細書によりこの詳細な説明に組み込まれ、各請求項は本発明の個々の好ましい実施形態として独立する。
【００４６】
さらに、本発明の説明は１つまたは複数の実施形態ならびにいくつかの改変形態および変更形態の説明を含むが、その他の改変形態および変更形態は、例えば、本発明の理解を経て、当業者の能力および知識の範囲内にあり得るように、本発明の範囲内である。請求された構造、機能、範囲またはステップの代替的な、交換可能なかつ／または均等な構造、機能、範囲またはステップが本明細書で開示されているか否かに関わらず、任意の特許性を有する主題を公に献ずる意図なしに、そのような代替的な、交換可能なおよび／または均等な構造、機能、範囲またはステップを含めて、許される範囲で代替実施形態を含む権利を取得することが意図される。
【図面の簡単な説明】
【００４７】
【図１】本発明の一実施形態によるアーキテクチャの構成図である。
【図２】本発明の一実施形態によるインター・スイッチ信号の流れ図である。
【図３】本発明の一実施形態による流れ図である。
【図１】
2008042924.tif 000003
【図２】
2008042924.tif 000004
【図３】
2008042924.tif 000005